(57)【特許請求の範囲】
【請求項１】
冷媒が循環して冷凍サイクルが行われる冷媒回路（11）を有する空調ユニット（15）と、吸着剤が担持された第１及び第２吸着熱交換器（51,52）を有し且つ高圧側配管（12）及び低圧側配管（13）を介して該空調ユニット（15）の冷媒回路（11）に並列に接続された調湿ユニット（50）とを備えた空調システムであって、
前記調湿ユニット（50）は、前記吸着熱交換器（51,52）の一方が蒸発器となって空気中の水分を前記吸着剤に吸着させる吸着動作と、該吸着熱交換器（51,52）の他方が凝縮器となって該吸着剤から水分を脱離させる再生動作とを同時に行う一方、吸着動作及び再生動作の対象となる該吸着熱交換器（51,52）を交互に切り換えるバッチ運転を行うように構成され、
前記調湿ユニット（50）の低圧側配管（13）には、開度調整可能な低圧側電動弁（56）が接続され、
前記調湿ユニット（50）の高圧側配管（12）には、開度調整可能な高圧側電動弁（55）が接続され、
前記低圧側電動弁（56）及び前記高圧側電動弁（55）は、前記バッチ運転中に蒸発器となる前記吸着熱交換器（51,52）の蒸発温度が露点温度よりも低い場合に、開度が小さくなるように調整される
ことを特徴とする空調システム。
【請求項２】
請求項１において、
前記蒸発温度は、前記吸着熱交換器（51,52）における蒸発温度の平均値、又は吸着動作と再生動作とを切り換える直前の蒸発温度である
ことを特徴とする空調システム。
【発明の詳細な説明】
【技術分野】
【０００１】
本発明は、空調システムに関するものである。
【背景技術】
【０００２】
従来より、蒸気圧縮式の冷凍サイクル運転を行うことによって、屋内の潜熱負荷及び顕熱負荷を処理する空気調和システムが知られている（例えば、特許文献１参照）。この空気調和システムは、互いが並列に接続される複数の第１利用側冷媒回路と、互いが並列に接続される複数の第２利用側冷媒回路とを備えている。
【０００３】
第１利用側冷媒回路は、表面に吸着剤が設けられた吸着熱交換器を有しており、冷媒の蒸発器として吸着熱交換器を機能させて空気中の水分を吸着剤に吸着させる吸着動作と、冷媒の凝縮器として吸着熱交換器を機能させて吸着剤から水分を脱離させる再生動作とを交互に行うことが可能である。第２利用側冷媒回路は、空気熱交換器を有しており、冷媒と空気との熱交換を行うことが可能である。このように、熱源側冷媒回路を１つにまとめることで、コストアップやメンテナンス箇所の増加を抑えるようにしている。
【先行技術文献】
【特許文献】
【０００４】
【特許文献１】特開２００５−３１５５５９号公報
【発明の概要】
【発明が解決しようとする課題】
【０００５】
しかしながら、特許文献１に記載の空気調和システムでは、１つの熱源側冷媒回路に対して第１利用側冷媒回路及び第２利用側冷媒回路の両方が接続されているため、第１利用側冷媒回路又は第２利用側冷媒回路のうち一方の能力を制御しようとすると、その制御動作に追従して他方の能力が成り行きで制御されてしまうという問題がある。
【０００６】
具体的に、空気熱交換器において所望の冷房能力を得るために、圧縮機によって冷媒の蒸発圧力を調整すると、吸着熱交換器においても同じ蒸発圧力の冷媒が流通することとなる。そのため、室内の冷房要求が大きい場合には、吸着熱交換器において冷媒の蒸発温度が露点温度以下まで低下してしまい、結露が生じるおそれがある。ここで、通常、空気熱交換器側には、ドレンパン等の結露対策が施されているが、吸着熱交換器側には、ドレンパンが設けられていない。そのため、吸着熱交換器側において結露を生じさせないための能力制御が必要であった。
【０００７】
本発明は、かかる点に鑑みてなされたものであり、その目的は、比較的簡単な構成で、空調ユニット及び調湿ユニットの能力を個別に制御できるようにすることにある。
【課題を解決するための手段】
【０００８】
本発明は、冷媒が循環して冷凍サイクルが行われる冷媒回路（11）を有する空調ユニット（15）と、吸着剤が担持された第１及び第２吸着熱交換器（51,52）を有し且つ高圧側配管（12）及び低圧側配管（13）を介して該空調ユニット（15）の冷媒回路（11）に並列に接続された調湿ユニット（50）とを備えた空調システムを対象とし、次のような解決手段を講じた。
【０００９】
すなわち、第１の発明は、前記調湿ユニット（50）は、前記吸着熱交換器（51,52）の一方が蒸発器となって空気中の水分を前記吸着剤に吸着させる吸着動作と、該吸着熱交換器（51,52）の他方が凝縮器となって該吸着剤から水分を脱離させる再生動作とを同時に行う一方、吸着動作及び再生動作の対象となる該吸着熱交換器（51,52）を交互に切り換えるバッチ運転を行うように構成され、
前記調湿ユニット（50）の低圧側配管（13）には、開度調整可能な低圧側電動弁（56）が接続され、
前記低圧側電動弁（56）は、前記バッチ運転中に蒸発器となる前記吸着熱交換器（51,52）の蒸発温度に基づいて開度調整されることを特徴とするものである。
【００１０】
第１の発明では、吸着動作及び再生動作の対象となる吸着熱交換器（51,52）が交互に切り換えられながらバッチ運転が行われる。調湿ユニット（50）の低圧側配管（13）には、低圧側電動弁（56）が接続されており、バッチ運転中に蒸発器となる吸着熱交換器（51,52）の蒸発温度に基づいて低圧側電動弁（56）の開度を調整することで、蒸発器となる吸着熱交換器（51,52）の蒸発圧力が調整される。
【００１１】
このような構成とすれば、比較的簡単な構成で、空調ユニット（15）及び調湿ユニット（50）の能力を個別に制御することができる。具体的に、従来の空調システムでは、空調ユニット（15）の冷媒回路（11）に対して調湿ユニット（50）の第１及び第２吸着熱交換器（51,52）を並列に接続させることで、熱源側の回路を１つにまとめるようにしている。
【００１２】
しかしながら、例えば、空調ユニット（15）の室内熱交換器（31）において所望の冷房能力を得るために、圧縮機（21）によって冷媒の蒸発圧力を調整すると、吸着熱交換器（51,52）においても同じ蒸発圧力の冷媒が流通することとなる。そのため、室内の冷房要求が大きい場合には、吸着熱交換器（51,52）において冷媒の蒸発温度が露点温度以下まで低下してしまい、結露が生じるおそれがある。
【００１３】
これに対し、本発明では、バッチ運転中に蒸発器となる吸着熱交換器（51,52）の蒸発圧力を低圧側電動弁（56）によって調整することができるので、空調ユニット（15）側の冷媒の蒸発圧力と、調湿ユニット（50）側の冷媒の蒸発圧力とを個別に調整して適切な能力制御を行うことができる。具体的に、調湿ユニット（50）側の冷媒の蒸発温度が露点温度以下にならないように、低圧側電動弁（56）の開度を調整して目標蒸発温度を高くすることで、吸着熱交換器（51,52）において結露が生じるのを抑えることができる。
【００１４】
また、第１の発明は、上記構成において、
前記低圧側電動弁（56）は、前記蒸発温度が露点温度よりも低い場合に、開度が小さくなるように調整されることを特徴とするものである。
【００１５】
第１の発明では、蒸発温度が露点温度よりも低くなると、低圧側電動弁（56）の開度が小さくなるように調整される。このような構成とすれば、吸着熱交換器（51,52）の蒸発圧力を高めて蒸発温度が露点温度よりも高くなるようにして、結露が生じるのを抑えることができる。
【００１６】
さらに、第１の発明は、上記構成において、
前記調湿ユニット（50）の高圧側配管（12）には、開度調整可能な高圧側電動弁（55）が接続され、
前記高圧側電動弁（55）は、前記蒸発温度が露点温度よりも低い場合に、開度が小さくなるように調整されることを特徴とするものである。
【００１７】
第１の発明では、調湿ユニット（50）の高圧側配管（12）に、開度調整可能な高圧側電動弁（55）が接続される。そして、蒸発温度が露点温度よりも低くなると、高圧側電動弁（55）の開度が小さくなるように調整される。
【００１８】
このような構成とすれば、バッチ運転中に凝縮器となる吸着熱交換器（51,52）の凝縮圧力を高圧側電動弁（55）によって調整することができるので、調湿ユニット（50）の高低差圧を低減して適切な能力制御を行うことができる。
【００１９】
具体的に、高圧側電動弁（55）の開度を小さくして凝縮圧力を低くすることで、調湿ユニット（50）の高低差圧を低減させ、吸着熱交換器（51,52）における蒸発温度が露点温度よりも高くなるようにして、結露が生じるのを抑えることができる。
【００２０】
第２の発明は、第１の発明において、
前記蒸発温度は、前記吸着熱交換器（51,52）における蒸発温度の平均値、又は吸着動作と再生動作とを切り換える直前の蒸発温度であることを特徴とするものである。
【００２１】
第２の発明では、吸着熱交換器（51,52）における蒸発温度の平均値、又は吸着動作と再生動作とを切り換える直前の蒸発温度に基づいて、低圧側電動弁（56）の開度が調整される。
【００２２】
このような構成とすれば、吸着熱交換器（51,52）における蒸発温度をより正確に検知することができ、この蒸発温度に基づいて調湿ユニット（50）を適切に能力制御することができる。
【発明の効果】
【００２３】
本発明によれば、調湿ユニット（50）における吸着熱交換器（51,52）の蒸発圧力を低圧側電動弁（56）によって調整することができるので、空調ユニット（15）側の冷媒の蒸発圧力と、調湿ユニット（50）側の冷媒の蒸発圧力とを個別に調整して適切な能力制御を行うことができる。
【図面の簡単な説明】
【００２４】
【図１】本発明の実施形態に係る空調システムの冷媒回路の構成を示す配管系統図であり、冷房除湿運転時の第１動作を示すものである。
【図２】空調システムの冷媒回路の構成を示す配管系統図であり、冷房除湿運転時の第２動作を示すものである。
【図３】空調システムの冷媒回路の構成を示す配管系統図であり、暖房加湿運転時の第１動作を示すものである。
【図４】空調システムの冷媒回路の構成を示す配管系統図であり、暖房加湿運転時の第２動作を示すものである。
【発明を実施するための形態】
【００２５】
以下、本発明の実施形態を図面に基づいて説明する。なお、以下の好ましい実施形態の説明は、本質的に例示に過ぎず、本発明、その適用物或いはその用途を制限することを意図するものではない。
【００２６】
〈全体構成〉
図１は、本発明の実施形態に係る空調システムの構成を示す配管系統図である。図１に示すように、空調システム（10）は、空調ユニット（15）と、調湿ユニット（50）とを備えている。空調ユニット（15）は、室外機（20）と、室内機（30）と、ＢＳユニット（40）とが高圧側配管（12）及び低圧側配管（13）によって接続されている。調湿ユニット（50）は、高圧側配管（12）及び低圧側配管（13）に並列に接続されている。つまり、この空調システム（10）では、１台の室外機（20）に対して、室内機（30）と調湿ユニット（50）とを１台ずつ接続することで冷媒回路（11）が形成されている。なお、室外機（20）に接続される室内機（30）と調湿ユニット（50）の台数は、必ずしも１台ずつである必要はない。
【００２７】
〈室外機の構成〉
室外機（20）には、２つの室外回路（20a,20a）が収納されている。室外回路（20a）には、圧縮機（21）と、室外熱交換器（22）と、室外側電動弁（23）と、第１三方弁（24）と、第２三方弁（25）とが設けられている。
【００２８】
圧縮機（21）は、容量が可変なインバータ式の圧縮機で構成されている。室外熱交換器（22）は、クロスフィン式の熱交換器で構成されている。室外熱交換器（22）は、液管（14）を介して室内機（30）に接続されている。液管（14）には、室外側電動弁（23）が設けられている。
【００２９】
第１三方弁（24）及び第２三方弁（25）は、第１から第３までのポートを有している。第１三方弁（24）では、第１ポートが圧縮機（21）の吐出側と繋がり、第２ポートが室外熱交換器（22）と繋がり、第３ポートが圧縮機（21）の吸入側と繋がっている。第２三方弁（25）では、第１ポートが圧縮機（21）の吐出側と繋がり、第２ポートがＢＳユニット（40）側と繋がり、第３ポートが圧縮機（21）の吸入側と繋がっている。
【００３０】
第１三方弁（24）及び第２三方弁（25）は、第１ポートと第２ポートとが連通すると同時に第３ポートが閉鎖される状態（図１の実線で示す状態）と、第２ポートと第３ポートとが連通すると同時に第１ポートが閉鎖される状態（図１の破線で示す状態）とに設定が切換可能に構成されている。
【００３１】
〈室内機の構成〉
室内機（30）には、室内回路（30a）が収納されている。室内回路（30a）には、室内熱交換器（31）と、室内側電動弁（32）とが設けられている。室内熱交換器（31）は、クロスフィン式の熱交換器で構成されている。また、室内熱交換器（31）は、一端側が液管（14）の端部に接続されている。室内側電動弁（32）は、室内熱交換器（31）の一端側に設けられている。室内熱交換器（31）には、冷媒の温度を検出するための室内側温度センサ（33）が設けられている。
【００３２】
〈ＢＳユニットの構成〉
ＢＳユニット（40）は、室内機（30）から分岐する第１分岐管（41）及び第２分岐管（42）をそれぞれ有している。第１分岐管（41）は、高圧側配管（12）に接続されている。第２分岐管（42）は、低圧側配管（13）に接続されている。また、第１分岐管（41）及び第２分岐管（42）には、開閉自在な第１電磁弁（43）及び第２電磁弁（44）が１つずつ設けられている。ＢＳユニット（40）は、第１電磁弁（43）及び第２電磁弁（44）を開閉させることで、室内熱交換器（31）の他端側を圧縮機（21）の吸入側又は吐出側の一方と繋ぐように冷媒の流路を切り換える。
【００３３】
〈調湿ユニットの構成〉
調湿ユニット（50）には、調湿回路（50a）が収納されている。調湿回路（50a）には、第１吸着熱交換器（51）と、第２吸着熱交換器（52）と、調湿側電動弁（53）と、調湿側四方切換弁（54）と、高圧側電動弁（55）と、低圧側電動弁（56）とが設けられている。
【００３４】
調湿回路（50a）では、調湿側四方切換弁（54）の第３のポートから第４のポートへ向かって順に、第１吸着熱交換器（51）と、調湿側電動弁（53）と、第２吸着熱交換器（52）とが配置されている。
【００３５】
第１吸着熱交換器（51）及び第２吸着熱交換器（52）は、表面に吸着剤が担持され、空気中の水分を吸脱着させるものである。第１及び第２吸着熱交換器（51,52）には、冷媒の温度を検出するための調湿側温度センサ（57）が設けられている。調湿側電動弁（53）は、開度が調整自在な電子膨張弁で構成されている。
【００３６】
調湿側四方切換弁（54）は、第１から第４までのポートを有している。調湿側四方切換弁（54）の第１ポートは、調湿回路（50a）の高圧側配管（12）に接続されている。高圧側配管（12）には、高圧側電動弁（55）が接続されている。このように、調湿回路（50a）は、高圧側配管（12）を介して室外回路（20a）の高圧側と繋がっている。
【００３７】
調湿側四方切換弁（54）の第２ポートは、調湿回路（50a）の低圧側配管（13）に接続されている。低圧側配管（13）には、低圧側電動弁（56）が接続されている。このように、調湿回路（50a）は、低圧側配管（13）を介して室外回路（20a）の低圧側と繋がっている。
【００３８】
調湿側四方切換弁（54）の第３ポートは、第１吸着熱交換器（51）の一端と繋がり、調湿側四方切換弁（54）の第４ポートは、第２吸着熱交換器（52）の一端と繋がっている。
【００３９】
調湿側四方切換弁（54）は、第１のポートと第３のポートとが連通して第２のポートと第４のポートが連通する第１状態（図１の実線で示す状態）と、第１のポートと第４のポートが連通して第２のポートと第３のポートが連通する第２状態（図１の破線で示す状態）とに切換可能となっている。
【００４０】
すなわち、図１に実線で示す第１状態の調湿側四方切換弁（54）は、室外回路（20a）の高圧側と第１吸着熱交換器（51）の一端とを繋いで室外回路（20a）の低圧側と第２吸着熱交換器（52）の一端を繋ぐ。また、図１に破線で示す第２状態の調湿側四方切換弁（54）は、室外回路（20a）の高圧側と第２吸着熱交換器（52）とを繋いで室外回路（20a）の低圧側と第１吸着熱交換器（51）とを繋ぐ。
【００４１】
−運転動作−
本実施形態に係る空調システム（10）では、冷房除湿運転と暖房加湿運転とを行う。空調システム（10）の冷房除湿運転中には、室内機（30）が冷房運転を行い、調湿ユニット（50）が除湿運転を行う。一方、空調システム（10）の暖房加湿運転中には、室内機（30）が暖房運転を行い、調湿ユニット（50）が加湿運転を行う。
【００４２】
〈冷房除湿運転〉
図１及び図２に示すように、冷房除湿運転中には、第１三方弁（24）の第１のポートと第２ポートとが連通する一方、第２三方弁（25）の第１のポートと第２のポートとが連通する状態に設定される。そして、室外側電動弁（23）の開度は全開で室内側電動弁（32）の開度が適宜調節される。ＢＳユニット（40）では、第１電磁弁（43）が閉状態となって、第２電磁弁（44）が開状態に設定される。
【００４３】
この状態において、冷媒回路（11）では、室外熱交換器（22）が凝縮器となって室内熱交換器（31）が蒸発器となる。つまり、圧縮機（21）から吐出されて第１三方弁（24）を通過した冷媒は、室外熱交換器（22）で凝縮する。室外熱交換器（22）で凝縮した冷媒は、全開状態に設定された室外側電動弁（23）を通過し、液管（14）を介して室内機（30）へ流れる。
【００４４】
室内機（30）においては、冷媒が室内側電動弁（32）を通過する際に、低圧まで減圧されて、室内熱交換器（31）を流れる。室内熱交換器（31）では、冷媒が室内空気から吸熱して蒸発する。その結果、室内の冷房が行われる。ここで、室内側電動弁（32）は、室内側温度センサ（33）等で求められた冷媒の過熱度に応じて開度が調節される。すなわち、室内側電動弁（32）は、室内の冷房要求が大きく冷媒の過熱度が大きくなるような条件では、開度を大きくして冷媒の流量を増加させる一方、冷房要求が小さく冷媒の過熱度が小さくなるような条件では、開度を小さくして冷媒の流量を減少させるように制御される。室内機（30）を流出した冷媒は、ＢＳユニット（40）の第２分岐管（42）を流れ、圧縮機（21）に吸入されて再び圧縮される。
【００４５】
一方、圧縮機（21）から吐出されて第２三方弁（25）を通過した冷媒は、高圧側配管（12）を流れて調湿ユニット（50）に流入する。調湿ユニット（50）に流入した冷媒は、高圧側電動弁（55）を通過する際に減圧される。
【００４６】
冷房除湿運転中において、調湿ユニット（50）は、調湿回路（50a）で第１吸着熱交換器（51）が凝縮器となって第２吸着熱交換器（52）が蒸発器となる第１動作と、調湿回路（50a）で第２吸着熱交換器（52）が凝縮器となって第１吸着熱交換器（51）が蒸発器となる第２動作とを交互に繰り返すバッチ運転を行う。
【００４７】
第１動作では、第１吸着熱交換器（51）についての再生動作と、第２吸着熱交換器（52）についての吸着動作とが並行して行われる。第１動作中は、図１に示すように、調湿側四方切換弁（54）が第１状態に設定され、調湿側電動弁（53）の開度が適宜調節される。この状態で、圧縮機（21）から吐出されて調湿回路（50a）へ流入した冷媒は、第１吸着熱交換器（51）で凝縮してから調湿側電動弁（53）で減圧され、第２吸着熱交換器（52）で蒸発する。第２吸着熱交換器（52）で蒸発した冷媒は、低圧側配管（13）を流れて低圧側電動弁（56）を通過する際に減圧され、圧縮機（21）へ吸入されて圧縮される。
【００４８】
ここで、高圧側電動弁（55）及び低圧側電動弁（56）は、蒸発器となる第２吸着熱交換器（52）側の調湿側温度センサ（57）で求められた蒸発温度に応じて開度が調整される。すなわち、蒸発温度が露点温度よりも低い場合には、高圧側電動弁（55）及び低圧側電動弁（56）の開度を調整して目標蒸発温度を高くする。具体的には、高圧側電動弁（55）の開度を小さくして凝縮圧力を低くすることで、調湿ユニット（50）の高低差圧を低減させるとともに、低圧側電動弁（56）の開度を小さくすることで、第２吸着熱交換器（52）の蒸発圧力を高くする。
【００４９】
これにより、第２吸着熱交換器（52）における蒸発温度が露点温度よりも高くなるようにして、結露が生じるのを抑えることができる。ここで、蒸発温度は、第１動作中に測定された第２吸着熱交換器（52）の蒸発温度の平均値、又は吸着動作と再生動作とを切り換える直前の蒸発温度を用いる。
【００５０】
第１動作中において、第１吸着熱交換器（51）では、冷媒で加熱された吸着剤から水分が脱離し、この脱離した水分が空気に付与される。第１吸着熱交換器（51）から脱離した水分は、空気とともに室外へ排出される。一方、第２吸着熱交換器（52）では、室外空気中の水分が吸着剤に吸着されて室外空気が除湿され、その際に生じた吸着熱が冷媒に吸熱される。第２吸着熱交換器（52）で除湿された室外空気は、室内へ供給される。
【００５１】
第２動作では、第１吸着熱交換器（51）についての吸着動作と、第２吸着熱交換器（52）についての再生動作とが並行して行われる。第２動作中は、図２に示すように、調湿側四方切換弁（54）が第２状態に設定され、調湿側電動弁（53）の開度が適宜調節される。この状態で、圧縮機（21）から吐出されて調湿回路（50a）へ流入した冷媒は、第２吸着熱交換器（52）で凝縮してから調湿側電動弁（53）で減圧され、第１吸着熱交換器（51）で蒸発する。第１吸着熱交換器（51）で蒸発した冷媒は、低圧側配管（13）を流れて低圧側電動弁（56）を通過する際に減圧され、圧縮機（21）へ吸入されて圧縮される。
【００５２】
第２動作中において、第１吸着熱交換器（51）では、室外空気中の水分が吸着剤に吸着されて室外空気が除湿され、その際に生じた吸着熱が冷媒に吸熱される。第１吸着熱交換器（51）で除湿された室外空気は、室内へ供給される。一方、第２吸着熱交換器（52）では、冷媒で加熱された吸着剤から水分が脱離し、この脱離した水分が空気に付与される。第２吸着熱交換器（52）から脱離した水分は、空気とともに室外へ排出される。
【００５３】
〈暖房加湿運転〉
図３及び図４に示すように、暖房加湿運転中には、第１三方弁（24）の第２のポートと第３のポートとが連通する一方、第２三方弁（25）の第１のポートと第２のポートとが連通する状態に設定される。そして、暖房要求に応じて室内側電動弁（32）の開度が適宜調節される。ＢＳユニット（40）では、第１電磁弁（43）が開状態となって、第２電磁弁（44）が閉状態に設定される。
【００５４】
この状態において、冷媒回路（11）では、室内熱交換器（31）が凝縮器となって室外熱交換器（22）が蒸発器となる。つまり、圧縮機（21）から吐出されて第２三方弁（25）を通過した冷媒は、高圧側配管（12）を流れてＢＳユニット（40）の第１分岐管（41）に分流する。ＢＳユニット（40）を通過した冷媒は、室内機（30）へ送られる。
【００５５】
室内機（30）において、室内熱交換器（31）へ冷媒が流れると、室内熱交換器（31）では、冷媒が室内空気へ放熱して凝縮する。その結果、室内の暖房が行われる。室内熱交換器（31）で凝縮した冷媒は、室内側電動弁（32）を通過する。
【００５６】
室内機（30）を流出した冷媒は、液管（14）を流れ、室外側電動弁（23）を通過する際に、低圧まで減圧されて、室外熱交換器（22）を流れる。室外熱交換器（22）では、冷媒が室外空気から吸熱して蒸発する。室外熱交換器（22）で蒸発した冷媒は、第１三方弁（24）を通過した後、圧縮機（21）に吸入されて再び圧縮される。
【００５７】
また、圧縮機（21）から吐出されて第２三方弁（25）を通過した冷媒は、高圧側配管（12）を流れて調湿ユニット（50）に流入する。調湿ユニット（50）に流入した冷媒は、高圧側電動弁（55）を通過する際に減圧される。
【００５８】
暖房加湿運転中において、調湿ユニット（50）は、調湿回路（50a）で第１吸着熱交換器（51）が凝縮器となって第２吸着熱交換器（52）が蒸発器となる第１動作と、調湿回路（50a）で第２吸着熱交換器（52）が凝縮器となって第１吸着熱交換器（51）が蒸発器となる第２動作とを交互に繰り返すバッチ運転を行う。
【００５９】
第１動作では、第１吸着熱交換器（51）についての再生動作と、第２吸着熱交換器（52）についての吸着動作とが並行して行われる。第１動作中は、図３に示すように、調湿側四方切換弁（54）が第１状態に設定され、調湿側電動弁（53）の開度が適宜調節される。この状態で、圧縮機（21）から吐出されて調湿回路（50a）へ流入した冷媒は、第１吸着熱交換器（51）で凝縮してから調湿側電動弁（53）で減圧され、第２吸着熱交換器（52）で蒸発する。第２吸着熱交換器（52）で蒸発した冷媒は、低圧側配管（13）を流れて低圧側電動弁（56）を通過する際に減圧され、圧縮機（21）へ吸入されて圧縮される。
【００６０】
第１動作中において、第１吸着熱交換器（51）では、冷媒で加熱された吸着剤から水分が脱離し、この脱離した水分が空気に付与される。第１吸着熱交換器（51）で加湿された室外空気は、室内へ供給される。一方、第２吸着熱交換器（52）では、室内空気中の水分が吸着剤に吸着されて室内空気が除湿され、その際に生じた吸着熱が冷媒に吸熱される。第２吸着熱交換器（52）で水分を奪われた室内空気は、室外へ排出される。
【００６１】
第２動作では、第１吸着熱交換器（51）についての吸着動作と、第２吸着熱交換器（52）についての再生動作とが並行して行われる。第２動作中は、図４に示すように、調湿側四方切換弁（54）が第２状態に設定され、調湿側電動弁（53）の開度が適宜調節される。この状態で、圧縮機（21）から吐出されて調湿回路（50a）へ流入した冷媒は、第２吸着熱交換器（52）で凝縮してから調湿側電動弁（53）で減圧され、第１吸着熱交換器（51）で蒸発する。第１吸着熱交換器（51）で蒸発した冷媒は、低圧側配管（13）を流れて低圧側電動弁（56）を通過する際に減圧され、圧縮機（21）へ吸入されて圧縮される。
【００６２】
第２動作中において、第１吸着熱交換器（51）では、室内空気中の水分が吸着剤に吸着されて室内空気が除湿され、その際に生じた吸着熱が冷媒に吸熱される。第１吸着熱交換器（51）で水分を奪われた室内空気は、室外へ排出される。第２吸着熱交換器（52）では、冷媒で加熱された吸着剤から水分が脱離し、この脱離した水分が室外空気に付与される。第２吸着熱交換器（52）で加湿された室外空気は、室内へ供給される。
【００６３】
−実施形態の効果−
以上のように、本実施形態に係る空調システム（10）によれば、バッチ運転中に蒸発器となる吸着熱交換器（51,52）の蒸発圧力を、低圧側電動弁（56）によって調整することができるので、空調ユニット（15）側の冷媒の蒸発圧力と、調湿ユニット（50）側の冷媒の蒸発圧力とを個別に調整して適切な能力制御を行うことができる。そして、調湿ユニット（50）側の冷媒の蒸発温度が露点温度以下にならないように、低圧側電動弁（56）の開度を調整して目標蒸発温度を高くすることで、吸着熱交換器（51,52）において結露が生じるのを抑えることができる。
【産業上の利用可能性】
【００６４】
以上説明したように、本発明は、比較的簡単な構成で、空調ユニット及び調湿ユニットの能力を個別に制御できるという実用性の高い効果が得られることから、きわめて有用で産業上の利用可能性は高い。
【符号の説明】
【００６５】
10    空調システム
11    冷媒回路
12    高圧側配管
13    低圧側配管
15    空調ユニット
50    調湿ユニット
51    第１吸着熱交換器
52    第２吸着熱交換器
55    高圧側電動弁
56    低圧側電動弁
【図１】
0005962201.tif 000002
【図２】
0005962201.tif 000003
【図３】
0005962201.tif 000004
【図４】
0005962201.tif 000005